(57)【要約】    【課題】印字の対象である文字のカラー／モノクロ判定を効率よく行うことができる情報処理装置及びそのカラー／モノクロ判定方法、並びにプログラムを提供する。    【解決手段】  情報処理装置としてのホスト装置１００は、中央処理装置１及び主記憶装置２を備える装置であり、中央処理装置１はプリンタ７が処理可能な印刷データを作成する印刷データ制御部１３を備える。印刷データ制御部１３は、対象文字が、スペース文字のように描画対象のない文字データの場合に、その対象文字は「モノクロ」であると判定し、カラー／モノクロ判断部１６によるカラー／モノクロ判定を行わない。【選択図】      図４
2006309471.tif 000002
【特許請求の範囲】
【請求項１】
印字対象がカラーであるかモノクロであるかを判定するための情報処理装置において、
前記印字対象の文字が描画のない文字か描画のある文字かを判断する文字判断手段と、
前記文字判断手段により前記描画のない文字であると判断された場合に、前記印字対象の文字がモノクロであると判定するモノクロ判定手段とを備えることを特徴とする情報処理装置。
【請求項２】
前記文字判断手段より前記描画のある文字であると判断された場合に、当該印字対象の文字における描画対象の色属性に基づき、前記印字対象の文字がカラーであるかモノクロであるかを判定するカラーモノクロ判定手段を備えることを特徴とする請求項１記載の情報処理装置。
【請求項３】
前記文字判断手段は、
前記印字対象の文字の文字コード体系が既存のフォントであるか否かを判断する第１の判断手段と、
前記第１の判断手段により前記既存のフォントであると判断された場合に、前記印字対象の文字が既存のスペース文字コードであるか否かを判断する第２の判断手段と、前記印字対象の文字が既存の文字コードであるか否かを判断する第３の判断手段とを備えることを特徴とする請求項１又は２記載の情報処理装置。
【請求項４】
前記第２の判断手段により前記既存のスペース文字コードであると判断された場合、前記印字対象の文字は前記描画のない文字であると判断することを特徴とする請求項３記載の情報処理装置。
【請求項５】
前記第２の判断手段により前記既存のスペース文字コードであると判断された場合であって、前記印字対象の文字に付加描画及び背景色のいずれも指示されていないときに、前記印字対象の文字は前記描画のない文字であると判断することを特徴とする請求項３記載の情報処理装置。
【請求項６】
前記第２の判断手段により前記既存のスペース文字コードでないと判断され、且つ前記第３の判断手段により前記既存の文字コードであると判断された場合に、前記印字対象の文字は前記描画のある文字であると判断することを特徴とする請求項３乃至５のいずれか１項に記載の情報処理装置。
【請求項７】
前記文字判断手段が前記印字対象の文字が前記描画のない文字であるか前記描画のある文字であるかを判断できない場合に、グリフにより前記印字対象の文字に描画対象があるか否かを判断する描画対象判断手段と、
前記描画対象判断手段により前記描画対象があると判断された場合に、当該描画対象の色属性に基づき、前記印字対象の文字がカラーであるかモノクロであるかを判定する他のカラーモノクロ判定手段を備えることを特徴とする請求項１乃至６のいずれか１項に記載の情報処理装置。
【請求項８】
前記第１の判断手段により前記既存のフォントでないと判断された場合に、前記描画対象判断手段による判断を行うことを特徴とする請求項７記載の情報処理装置。
【請求項９】
前記第２の判断手段により前記既存のスペース文字コードでないと判断され、且つ前記第３の判断手段により前記既存の文字コードでないと判断された場合に、前記描画対象判断手段による判断を行うことを特徴とする請求項７又は８記載の情報処理装置。
【請求項１０】
印字対象がカラーであるかモノクロであるかを判定するための情報処理装置のカラー／モノクロ判定方法において、
前記印字対象の文字が描画のない文字か描画のある文字かを判断する文字判断ステップと、
前記文字判断ステップにより前記描画のない文字であると判断された場合に、前記印字対象の文字がモノクロであると判定するモノクロ判定ステップとを備えることを特徴とするカラー／モノクロ判定方法。
【請求項１１】
印字対象がカラーであるかモノクロであるかを判定するための情報処理装置のカラー／モノクロ判定方法をコンピュータにより実行するプログラムにおいて、
前記印字対象の文字が描画のない文字か描画のある文字かを判断する文字判断モジュールと、
前記文字判断モジュールにより前記描画のない文字であると判断された場合に、前記印字対象の文字がモノクロであると判定するモノクロ判定モジュールとを備えることを特徴とするプログラム。
【発明の詳細な説明】
【技術分野】
【０００１】
本発明は、情報処理装置及びそのカラー／モノクロ判定方法、並びにプログラムに関する。
【背景技術】
【０００２】
従来より、印刷するデータのカラー／モノクロ判定を行い、ページ内にモノクロデータしか存在しない場合はモノクロとして処理するカラー／モノクロ自動切換えという技術が存在する。
【０００３】
例えば、カラー印刷とモノクロ印刷のプリンタの印字速度が異なる場合、あるいはカラー印刷とモノクロ印刷毎に課金金額が異なる場合には、上記技術は重要となる。ユーザーがプリンタドライバの設定や印刷物がカラーなのかモノクロなのかを意識することなく、最適なランニングコストや印字スピードを享受することが出来るからである。
【０００４】
また、このカラー／モノクロ判定を印刷システムに適用する従来技術がすでに開示されている（例えば、特許文献１参照）。
【０００５】
上記従来技術において、カラー／モノクロ判定を行う主目的は、プリンタエンジンを可能な限り高速に作動させることである。
【０００６】
従って、プリンタドライバにおいて、アプリケーションから入力された描画情報を解析し、印字の対象である文字に色情報が設定されていれば「カラー」、設定されていなければ「モノクロ」と判定する処理が行われている。
【特許文献１】特開平１０−２８５４２１号公報
【発明の開示】
【発明が解決しようとする課題】
【０００７】
従来のプリンタドライバにおけるカラー／モノクロ判定処理は、文字コードについては、その文字の色属性を判定しているだけである。
【０００８】
しかしながら、文字には、数字・記号・漢字など実際に描画される文字もあれば、スペース文字のように描画するものがなくとも文字コードとして入力されるため、文字として扱われるものが存在する。
【０００９】
従って、上述した従来技術における印字の対象となる文字のうち、こういった描画のない文字について色情報が設定されている場合、印刷後の見た目がモノクロのデータであっても従来のプリンタドライバでは文字属性がカラーであると認識するため、このページの色処理モードが「カラー」と判断されてしまうという問題があった。
【００１０】
例えば、図５（ａ）に示すように、文字列「あい  う」であるが「い」と「う」の間のスペース文字の色設定が赤だとするとこの文字データは「カラー」と判断される。
【００１１】
また、上述したシンボルフォントの文字が印字の対象となっている場合、文字コードによって描画のない文字の判断はできないという問題もあった。
【００１２】
本発明の目的は、印字の対象である文字のカラー／モノクロ判定を効率よく行うことができる情報処理装置及びそのカラー／モノクロ判定方法、並びにプログラムを提供することにある。
【課題を解決するための手段】
【００１３】
上記目的を達成するために、請求項１記載の情報処理装置は、印字対象がカラーであるかモノクロであるかを判定するための情報処理装置において、前記印字対象の文字が描画のない文字か描画のある文字かを判断する文字判断手段と、前記文字判断手段により前記描画のない文字であると判断された場合に、前記印字対象の文字がモノクロであると判定するモノクロ判定手段とを備えることを特徴とする。
【００１４】
請求項１０記載のカラー／モノクロ判定方法は、印字対象がカラーであるかモノクロであるかを判定するための情報処理装置のカラー／モノクロ判定方法において、前記印字対象の文字が描画のない文字か描画のある文字かを判断する文字判断ステップと、前記文字判断ステップにより前記描画のない文字であると判断された場合に、前記印字対象の文字がモノクロであると判定するモノクロ判定ステップとを備えることを特徴とする。
【００１５】
請求項１１記載のプログラムは、印字対象がカラーであるかモノクロであるかを判定するための情報処理装置のカラー／モノクロ判定方法をコンピュータにより実行するプログラムにおいて、前記印字対象の文字が描画のない文字か描画のある文字かを判断する文字判断モジュールと、前記文字判断モジュールにより前記描画のない文字であると判断された場合に、前記印字対象の文字がモノクロであると判定するモノクロ判定モジュールとを備えることを特徴とする。
【発明の効果】
【００１６】
本発明によれば、印字の対象の文字が描画のない文字であると判断された場合に、その印字対象の文字がモノクロであると判定するので、文字コード毎又はグリフ毎に色設定を判定する従来のカラー／モノクロ判定を行うことなく、印字の対象である文字のカラー／モノクロ判定を効率よく行うことができる。
【発明を実施するための最良の形態】
【００１７】
以下、本発明の実施の形態を図面を用いて詳述する。
【００１８】
図１は、本発明の実施の形態にかかる情報処理装置としてのホスト装置の構成を概略的に示すブロック図である。
【００１９】
図１において、ホスト装置１００は、中央処理装置（ＣＰＵ）１及び主記憶装置（ＲＡＭ）２を備える装置であって、ＦＤ、ＣＤ−ＲＯＭ、ハードディスク、ＩＣメモリカードなどの記憶媒体に記録されたプログラムや関連データを読み込み、中央処理装置１に送信する媒体読取装置６、ＲＯＭ８と、ハードディスクや光磁気ディスクなどで構成される補助記憶装置３と、キーボードやポインティングデバイスなどで構成される入力装置４とを備えており、それぞれの部位がバスを介して接続されている。
【００２０】
さらに、ホスト装置１００は、ディスプレイなどの表示装置からなる出力装置５と、セントロニクスインタフェイスにより接続するプリンタ７とに接続する。
【００２１】
ＲＯＭ８及び補助記憶装置３は、オペレーティングシステム（ＯＳ）などのシステムプログラムおよびアプリケーションプログラムおよびプリンタ７で印刷される印刷データを生成するためのプリンタドライバを主記憶装置２にロードする。
【００２２】
ホスト装置１００は、上記システムプログラムおよびアプリケーションプログラムによって、入力装置４から入力される情報を処理したものを出力装置５に、更にプリンタドライバを用いて生成した印刷データをプリンタ７に出力する。
【００２３】
本実施の形態では、ホスト装置１００は、セントロニクスインタフェイスにより外部機器と接続されるが、インタフェイスの形式は主要な構成要件ではなく、セントロニクスに代えて赤外線や電磁波を利用した無線通信、ＵＳＢやＩＥＥＥ１３９４などのシリアルバス、ネットワーク接続などでもよい。
【００２４】
図２は、図１における中央処理装置１により実行される印刷処理の手順を説明するのに用いられる図である。
【００２５】
図２において、まず、中央処理装置１は、例えば媒体読取装置６に装着された記憶媒体に格納されていた画像処理プログラム（アプリケーションプログラム１０およびプリンタドライバ１１）と関連データが主記憶装置２に読み込む。
【００２６】
次に、中央処理装置１は、入力装置４から入力される印刷命令に従い、アプリケーションプログラム１０で作成された文書データを、プリンタドライバ１１を用いてプリンタ７が解釈可能な印刷データに変換し、プリンタ７へ印刷データを送って印刷を実行する。
【００２７】
ここで、アプリケーションプログラム１０、プリンタドライバ１１ともに主記憶装置２にロードされたＯＳ９の制御下で機能する。
【００２８】
図３は、図２におけるプリンタドライバ１１の機能の概略構成を示すブロック図である。
【００２９】
図３において、プリンタドライバ１１は、図１のホスト装置１００全体を制御するＯＳ９の制御下でプリンタ７を制御するソフトウェアモジュールである。そして、ＯＳ９が提供するデータ送受信部２０（一般に出力スプーラと呼ばれる）が、セントロニクス接続によりプリンタドライバ１１とプリンタ７の間のデータの送受信を行う。
【００３０】
プリンタドライバ１１は、ホスト装置のユーザによるプリンタ７で印刷される印刷物に対する各種の印刷設定の入力を受付、印刷開始の指示を受け付けるためのユーザインタフェイス部１２と、アプリケーションプログラム１０から描画命令を受けたときにその描画命令に基づいてプリンタ７が処理可能な印刷データ（例えば、ページ記述言語（ＰＤＬ））を作成する印刷データ制御部１３と、印刷データ制御部１３が作成した印刷データをプリンタ７に送信される印刷コマンドの印刷ジョブ（ＰＤＬをＪＬ（Job Language）で包んだフォーマット）に変更する印刷データ制御部２１とを備える。
【００３１】
ここで、印刷データ生成部１９が生成する印刷データは特に限定されるものでなく、例えばＰＤＬデータやレンダリング後のビットマップデータ等が印刷データとして生成される。
【００３２】
印刷データ制御部１３は、本発明の特徴的な処理を行う部分であって、テキスト描画命令を抽出する描画命令抽出部１４と、上記抽出された描画命令において印字の対象となっている文字が文字コード体系が既存のフォント（以下「通常のフォント」という。）であるか否かの判別、スペース文字であるか否かの判別、及び打消線、下線等の付加描画があるか否かの判別を行う文字判断部１５と、既存のフォント毎のカラー／モノクロ判定処理（以下「通常のカラー／モノクロ判定処理という。」）を行うカラー／モノクロ判断部１６とを備える。
【００３３】
また、印刷データ制御部１３は、文字判断部１５によりシンボルフォントなど、通常フォントでないと判別されたものや、既存のスペース文字コードが既存の文字コードはないと判別されたもののカラー／モノクロ判定をグリフ（ビットマップ）により正確に行うグリフチェック部１７と、ＯＳ９から渡される描画命令そのもの、中間言語のような形式、プリンタ記述言語（ＰＤＬ）コマンドの形式、または、レンダリング後のカラービットマップ形式等からなる描画データを格納する描画データ格納部１８とを備える。
【００３４】
次に、図２及び図３を用いて、印刷処理の具体的な流れについて説明する。
【００３５】
まず、入力装置４でドキュメントの印刷指示コマンドの入力があると、このコマンドがホスト装置１００のＯＳ９で受信される。
【００３６】
このコマンドを受信したＯＳ９は、現在アクティブであるアプリケーションプログラム１０に印刷の実行を指示する。
【００３７】
ＯＳ９から印刷実行が指示されたアプリケーションプログラム１０は、その指示内容に応じたドキュメントの印刷データやメッセージをＯＳ９が認識可能な描画コマンド（例えば、ＧＤＩ関数：Graphic Device Interface）に変換し、そのコマンドをＯＳ９に送信する。
【００３８】
ＯＳ９は描画関数の変換機能を備えており、アプリケーションプログラム１０から上記描画コマンドをプリンタドライバ１１が認識可能な描画コマンド（例えば、ＤＤＩ関数：Device Driver Interface）やメッセージに変換し、それら描画コマンドやメッセージをプリンタドライバ１１に送信する。プリンタドライバ１１は、この描画コマンドやメッセージを受信したときに、以下の図４のカラー／モノクロ判定処理を実行する。
【００３９】
その後、プリンタドライバ１１は上記カラー／モノクロ判定の結果及び印刷データ生成部１９で生成した印刷コマンドをデータ送受信部２０に送信する。
【００４０】
データ送受信部２０は、このプリンタドライバ１１より上記印刷コマンド等を受信すると、送信されたデータをプリンタ７に送信する。
【００４１】
図４は、図３におけるプリンタドライバの印刷データ制御部１３により実行されるカラー／モノクロ判定処理の手順を示すフローチャートである。
【００４２】
図４において、まず、プリンタドライバ１１にＯＳ９から描画コマンドやメッセージが入力されると、印刷データ制御部１３は、その入力された描画コマンドから文字の描画命令を描画命令抽出部１４により抽出する（ステップＳ５００）。ここで、描画命令には、文字の描画、図形の描画、イメージの描画、描画対象の画像処理命令などがある。
【００４３】
次に、ステップＳ５００で抽出された描画命令において、印字の対象となっている文字（以下「対象文字」という。）が通常フォントか否かを文字判断部１５により判別する（ステップＳ５０１）。この処理は、具体的には、対象文字のフェイス名（文字フォントまたは文字コード群を示す名称）が、予めプリンタドライバ１１に登録されている既存のフェイス名の１つに属するものであるときに、通常フォントであると判別される。
【００４４】
ステップＳ５０１の判別の結果、対象文字のフェイス名がプリンタドライバでは認識できず通常フォントでないと判断されたときは（例えば、図５（ｂ））、プリンタドライバ１１のグリフチェック部１７でグリフによる正確なカラー／モノクロ判定を行ない（ステップＳ５０５）、本処理を終了する。グリフとは抽象化された字形のことで、「文字の芯線」のようなものである。すなわち、グリフ処理を行って字形を認識することで、描画すべき内容があるかを判断することができる。描画すべき対象（字形）があれば、その文字の色属性を見てカラー／モノクロ判定が行え、描画すべき対象（字形）がなければ、その文字の色属性がカラーであってもモノクロと判定することになる。
【００４５】
一方、ステップＳ５０１の判別の結果、対象文字のフェイス名が登録されており、通常フォントであると判断されたときは、次に、この対象文字が既存のスペース文字コードであるか否かを文字判断部１５により判別する（ステップＳ５０２）。これは、フェイス名をプリンタドライバ１１が認識しているため、対象文字の文字コード番号によりスペース文字コードであるか判断することが可能である。
【００４６】
ステップＳ５０２の判別の結果、対象文字が既存のスペース文字コードでないときは、次に、対象文字の文字コードが既存の文字コードであるか否かを文字判断部１５により判別する（ステップＳ５０３）。これは、フェイス名によって、既存の文字コードは決まっており、その範囲の文字コードであれば描画対象があると判断できる。しかし、外字のように、ユーザにより新たに登録された文字の場合は、知っているフェイス名の文字コードであったとしても、描画対象が存在しているか否かはわからない。よって、文字判断部１５は、既存の文字コードか否かを判断する必要がある。
【００４７】
ステップＳ５０３の判別の結果、対象文字の文字コードが既存の文字コードであるときは、カラー／モノクロ判断部１６により対象文字の色属性がカラーであるかモノクロであるかを判断する通常のカラー／モノクロ判定を行って（ステップＳ５０４）、１ページ分のカラー／モノクロ判定を行った場合に色処理モードを決定するための本処理を終了する。
【００４８】
一方、ステップＳ５０３の判別の結果、対象文字の文字コードが既存の文字コードでないときは、対象文字が外字登録されたスペース文字である可能性もあるため、グリフチェック部１７でグリフによる正確なカラー／モノクロ判定を行う（ステップＳ５０５）。
【００４９】
また、ステップＳ５０２の判別の結果、対象文字が既存のスペース文字コードであるときは、次に、対象文字に付加描画があるか否かを文字判断部１５により判別し（ステップＳ５０６）、付加描画があるときは、カラー／モノクロ判断部１６により付加描画の色属性を判断するため通常のカラー／モノクロ判定を行う（ステップＳ５０４）。例えば、図５(ｃ)に示すように、対象文字がスペース文字であっても下線（付加描画）に色があるときは、「カラー」と判断する。
【００５０】
ステップＳ５０６の判別の結果、対象文字に付加描画がないときは文字判断部１５により、対象文字に背景色があるか否かを判別し（ステップＳ５０７）、図５（ｄ）に示すように、対象文字に背景色があるときは、カラー／モノクロ判断部１６により背景色の色属性を判断するため通常のカラー／モノクロ判定を行う（ステップＳ５０４）。
【００５１】
一方、ステップＳ５０７の判別の結果、対象文字に背景色がないときは、対象文字は描画のない文字であると判断し、対象文字に色設定があってもその対象文字は「モノクロ」であると判定して（ステップＳ５０８）、この対象文字については、カラー／モノクロ判断部１６によるカラー／モノクロ判定を行うことなく、次の対象文字の判断を行うべく本処理を終了する。
【００５２】
図４の処理によれば、印刷データ制御部１３は、対象文字が、描画のないスペース文字の場合に、その対象文字は「モノクロ」であると判定し、カラー／モノクロ判断部１６によるカラー／モノクロ判定を行わないので、対象文字のカラー／モノクロ判定を効率よく行うことができる。
【００５３】
一方、ホスト装置１００は、対象文字が通常フォントでない場合に（ステップＳ５０１でＮＯ）、グリフ処理により描画対象があるかを判断して正確にカラー／モノクロ判定を行うので（ステップＳ５０５）、対象文字のカラー／モノクロ判定を効率よく且つ正確に行うことができる。
【００５４】
さらに、本処理では、ステップＳ５０３の処理はステップＳ５０２の処理の後に行われているが、ステップＳ５０３の処理とステップＳ５０２の処理の順序を入れ替えてもよい。また、本処理では、ステップＳ５０２の判別処理に引き続き、ステップＳ５０６，Ｓ５０７の判別処理を行い、その後にステップＳ５０８のモノクロ判定が行っているが、ステップＳ５０６，Ｓ５０７の判別処理を行うことなく、ステップＳ５０２の判別処理の後、直接ステップＳ５０８の処理を行うようにしてもよい。
【００５５】
また、この処理は、ホスト装置１００が有するプリンタドライバ１１の印刷データ制御部１３により実行されたが、プリンタ７でこの処理が行われるようにしてもよい。
【００５６】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００５７】
この場合、記憶媒体から読み出されたプログラムコード自体が前述した実施形態の機能を実現することになり、そのプログラムコードを記憶した記憶媒体は本発明を構成することになる。
【００５８】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００５９】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６０】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６１】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００６２】
【図１】本発明の実施の形態にかかる情報処理装置としてのホスト装置の構成を概略的に示すブロック図である。
【図２】図１における中央処理装置により実行される印刷処理の手順を説明するのに用いられる図である。
【図３】図２におけるプリンタドライバの機能の概略構成を示すブロック図である。
【図４】図３における印刷データ制御部により実行されるカラー／モノクロ判定処理の手順を示すフローチャートである。
【図５】スペース文字の具体例を示す図である。
【符号の説明】
【００６３】
１  中央処理装置
２  主記憶装置
３  補助記憶装置
４  入力装置
５  出力装置
６  媒体読取装置
７  プリンタ
８  ＲＯＭ
９  ＯＳ
１０  アプリケーションプログラム
１１  プリンタドライバ
１２  ユーザインタフェイス部
１３  印刷データ制御部
１４  描画命令抽出部
１５  文字判断部
１６  カラー／モノクロ判断部
１７  グリフチェック部
１８  描画データ格納部
１９  印刷データ生成部
２０  データ送受信部
２１  印刷コマンド制御部
【図１】
2006309471.tif 000003
【図２】
2006309471.tif 000004
【図３】
2006309471.tif 000005
【図４】
2006309471.tif 000006
【図５】
2006309471.tif 000007